(57)【要約】【課題】勢い良くベルト体を引き抜いた場合でも、コマ玩具の発射位置を定めやすくしたコマ玩具発射装置を提供する。【解決手段】表面にラックギア４１を形成した長板状のベルト体４０と、前記ベルト体４０を挿通させるための挿通孔２１が形成された発射装置本体１１と、を備えた。前記発射装置本体１１の下面側には、コマ玩具５０を取り付けるためのコマ装着部１３を回転可能に設け、前記発射装置本体１１の内部には、前記ベルト体４０を挿抜することで前記コマ装着部１３に回転力を付与する回転機構３０を設けた。そして、前記ベルト体４０は、前記コマ装着部１３の回転軸と同じ方向に挿抜可能とした。【選択図】図５
0003164823.tif 000002
【実用新案登録請求の範囲】
【請求項１】
コマ玩具に回転力を付与するためのコマ玩具発射装置であって、
表面にラックギアを形成した長板状のベルト体と、
前記ベルト体を挿通させるための挿通孔が形成された発射装置本体と、
を備え、
前記発射装置本体の下面側には、コマ玩具を取り付けるためのコマ装着部が回転可能に設けられるとともに、
前記発射装置本体の内部には、前記ベルト体を挿抜することで前記コマ装着部に回転力を付与する回転機構が設けられ、
前記ベルト体は、前記コマ装着部の回転軸と同じ方向に挿抜可能であることを特徴とする、コマ玩具発射装置。
【請求項２】
前記発射装置本体は、前記コマ装着部が形成された基部と、前記基部に対して回動可能に設けられた回動部と、を備え、
前記回動部に前記挿通孔が形成されるとともに、前記回動部を回動させることで、前記挿通孔が貫通する方向を変更可能であることを特徴とする、請求項１記載のコマ玩具発射装置。
【請求項３】
前記回動部は、前記挿通孔が前記コマ装着部の回転軸と直交する方向となった状態から、少なくとも１８０度回動可能であることを特徴とする、請求項２記載のコマ玩具発射装置。
【考案の詳細な説明】
【技術分野】
【０００１】
この考案は、コマ玩具発射装置に関するものであり、特に、ベルト体を挿抜することでコマに回転力を付与するコマ玩具発射装置に関するものである。
【背景技術】
【０００２】
従来、コマ玩具を発射するためのコマ玩具発射装置として、ベルト体の引き抜きでコマ玩具を発射するものが知られている。
【０００３】
例えば、特許文献１には、発射装置本体の装着部にコマ玩具を装着した後、発射装置本体にベルト体を差し込み、勢い良くベルト体を引き抜くと、発射装置本体の内部の駆動装置が作動して装着部が回転し、回転力を与えられたコマ玩具が発射されるコマ玩具発射装置が開示されている。
【先行技術文献】
【特許文献】
【０００４】
【特許文献１】実用新案登録第３１６０６５８号公報
【考案の概要】
【考案が解決しようとする課題】
【０００５】
しかし、このようなコマ玩具発射装置を使用するのは主に子供であるため、発射装置本体を固定的に保持することが難しく、勢い良くベルト体を引き抜く際に発射装置本体が動いてしまい、コマ玩具の発射位置が定まらないという問題があった。
【０００６】
そこで、本考案は、勢い良くベルト体を引き抜いた場合でも、コマ玩具の発射位置を定めやすくしたコマ玩具発射装置を提供することを課題とする。
【課題を解決するための手段】
【０００７】
本考案は、上記した課題を解決するためになされたものであり、以下を特徴とする。
【０００８】
（請求項１）
請求項１に記載の考案は、以下の点を特徴とする。
【０００９】
すなわち、請求項１に記載のコマ玩具発射装置は、コマ玩具に回転力を付与するためのコマ玩具発射装置であって、表面にラックギアを形成した長板状のベルト体と、前記ベルト体を挿通させるための挿通孔が形成された発射装置本体と、を備え、前記発射装置本体の下面側には、コマ玩具を取り付けるためのコマ装着部が回転可能に設けられるとともに、前記発射装置本体の内部には、前記ベルト体を挿抜することで前記コマ装着部に回転力を付与する回転機構が設けられ、前記ベルト体は、前記コマ装着部の回転軸と同じ方向に挿抜可能であることを特徴とする。
【００１０】
（請求項２）
請求項２に記載の考案は、上記した請求項１記載の考案の特徴点に加え、以下の点を特徴とする。
【００１１】
すなわち、前記発射装置本体は、前記コマ装着部が形成された基部と、前記基部に対して回動可能に設けられた回動部と、を備え、前記回動部に前記挿通孔が形成されるとともに、前記回動部を回動させることで、前記挿通孔が貫通する方向を変更可能であることを特徴とする。
【００１２】
（請求項３）
請求項３に記載の考案は、上記した請求項２記載の考案の特徴点に加え、以下の点を特徴とする。
【００１３】
すなわち、前記回動部は、前記挿通孔が前記コマ装着部の回転軸と直交する方向となった状態から、少なくとも１８０度回動可能であることを特徴とする。
【考案の効果】
【００１４】
請求項１に記載の考案は上記の通りであり、ベルト体がコマ装着部の回転軸と同じ方向に挿抜可能であるため、勢い良くベルト体を引き抜いたことにより、発射装置本体を動かしてしまった場合でも、コマ玩具の発射位置を定めやすく形成されている。すなわち、ベルト体を引き抜く際に発射装置本体が動いてしまうのは、発射装置本体をベルト体の引き抜き方向とは逆方向に動かしてしまうからであるから、本考案に係るコマ玩具発射装置によれば、ベルト体を引き抜く際に発射装置本体をベルト体の引き抜き方向とは逆方向に動かしてしまった場合でも、発射装置本体の移動方向はコマ玩具の回転軸方向（すなわち上下方向）となる。このため、地面に対してのコマ玩具の発射位置に影響が出ないので、コマ玩具の発射位置を定めやすくなっている。
【００１５】
また、請求項２に記載の考案は上記の通りであり、回動部を回動させることで挿通孔が貫通する方向を変更可能であるため、ベルト体の挿抜方向を自由に設定でき、ユーザーが使いやすい方向にベルト体を挿抜することができる。
【００１６】
また、請求項３に記載の考案は上記の通りであり、前記回動部は、前記挿通孔が前記コマ装着部の回転軸と直交する方向となった状態から、少なくとも１８０度回動可能に形成されている。すなわち、コマ玩具の回転軸が正しく垂直方向となるようにコマ玩具発射装置を保持しているとすれば、ベルト体の挿抜方向を上下方向とすることもできるし、水平方向とすることもできる。このため、上方向にベルト体を引き抜くようにすることができることはもちろんのこと、基部が回動部の左右いずれの側にくるように保持してもベルト体の挿抜を行うことができるので、左右いずれの利き腕にも対応できる。
【図面の簡単な説明】
【００１７】
【図１】コマ玩具発射装置及びコマ玩具の外観図である。
【図２】発射装置本体からベルト体を引き抜く様子を示す説明図である。
【図３】発射装置本体の（ａ）正面図、（ｂ）側面図、（ｃ）底面図である。
【図４】回動部が回動する様子を示す説明図である。
【図５】図２に示す状態から回動部を回動させた状態を示す図であって、（ａ）１８０度回動させた図、（ｂ）９０度回動させた図である。
【図６】回転機構を構成する部材の分解図である。
【図７】回転機構の構成を示す説明図である。
【図８】ベルト体を引き抜き動作したときの回転機構の作動を示す説明図である。
【考案を実施するための形態】
【００１８】
本考案の実施形態について、図を参照しつつ説明する。
【００１９】
本実施形態に係るコマ玩具発射装置１０は、コマ玩具５０に回転力を付与するためのものであって、図１に示すように、表面にラックギア４１を形成した長板状のベルト体４０と、前記ベルト体４０を挿通させるための挿通孔２１が形成された発射装置本体１１と、を備えている。このコマ玩具発射装置１０は、図２に示すように、発射装置本体１１に形成された挿通孔２１にベルト体４０の先端４０ａを挿通させ、その後ベルト体４０を速やかに引き抜くことで、発射装置本体１１内に設けた回転機構３０を作動させて、コマ玩具５０に回転を付与することができるようにしたものである。
【００２０】
ベルト体４０は、図１及び図２に示すように、表面に鋸歯状にラックギア４１が突出して形成されており、引き抜き動作がされたときに、このラックギア４１が回転機構３０を構成するピニオンギア３２（後述）と噛合して、発射装置本体１１内部の回転機構３０を作動させる。なお、このベルト体４０の基端側には、引き抜き動作を容易とするための取っ手４２が形成されている。
【００２１】
発射装置本体１１は、図３に示すように、基部１２と回動部２０とを備えており、この基部１２と回動部２０とは、互いに側面が対向するように回動可能に連結されている。
【００２２】
基部１２の下面側には、コマ玩具５０を取り付けるためのコマ装着部１３が回転可能に設けられており、このコマ装着部１３は、図３に示すように、有底円筒状の下面に係止爪１５を突出させてなるものである。この係止爪１５は、円周方向に２箇所設けられており、この２つの係止爪１５は、それぞれコマ玩具５０の上面に形成された係合孔５１（図１参照）に係止可能となっている。このように、コマ玩具５０の係合孔５１に係止爪１５を引掛けることで、コマ玩具５０をコマ装着部１３に取り付け可能となっている。
【００２３】
回動部２０は、前記挿通孔２１が形成された部材であり、前述したように、基部１２の側部に回動可能に連結されている。このため、この回動部２０を回動させることで、挿通孔２１が貫通する方向を変更可能となっている。このように挿通孔２１が貫通する方向を変更すれば、図４に示すように、ベルト体４０の挿抜方向も変更することができる。
【００２４】
なお、この回動部２０の挿通孔２１の片側には切欠き２１ａが形成されており、ベルト体４０が表裏逆にして差し込まれることがないようになっている。すなわち、ベルト体４０の片側部には、この切欠き２１ａと嵌合する張り出し部４３（図１参照）が形成されており、この張り出し部４３と切欠き２１ａとが合致するように差し込まなければ、ベルト体４０が挿通孔２１に差し込めないようになっている。これにより、ベルト体４０が正しい差し込み方向で差し込まれるようになっており、すなわち、ベルト体４０を差し込んだときに、ベルト体４０のラックギア４１が必ずピニオンギア３２（後述）と対向するようになっている。
【００２５】
本実施形態に係るコマ玩具発射装置１０においては、この回動部２０は約１８０度回動可能に形成されており、詳しくは、挿通孔２１がコマ装着部１３の回転軸と直交する方向となった状態から約１８０度回動可能に形成されている。
【００２６】
ここで「挿通孔２１がコマ装着部１３の回転軸と直交する方向となった状態」は、要するに、コマ玩具５０の回転軸が正しく垂直方向となるようにコマ玩具発射装置１０を保持しているとすれば、ベルト体４０の挿抜方向が水平となっている状態を意味している。例えば、図２に示す状態である。この状態から１８０度回動させると、図５（ａ）に示すように、ベルト体４０の挿抜方向が真逆とすることができる。また、図２から図５（ａ）の状態に回動させる中間状態においては、図５（ｂ）に示すように、ベルト体４０の挿抜方向を垂直方向とすることもできる。
【００２７】
ところで、前記発射装置本体１１の内部には、前記ベルト体４０を挿抜することでコマ装着部１３に回転力を付与する回転機構３０が設けられている。
【００２８】
この回転機構３０は、図６に示すように、ロック部材３１、ピニオンギア３２、ラチェットギア３３、第１傘歯車３４、第２傘歯車３５、クラッチ３６を備えている。この回転機構３０は、ベルト体４０が引き抜き動作されることにより、このベルト体４０のラックギア４１と噛み合うピニオンギア３２が回転し、この回転力がラチェットギア３３、第１傘歯車３４、第２傘歯車３５、クラッチ３６へと順次伝達され、最後に、コマ装着部１３へと伝達されて、コマ装着部１３を回転させるようになっている。
【００２９】
このうち、ピニオンギア３２、ラチェットギア３３、第１傘歯車３４は、回転軸が同じ方向となるように配置されており、これらの部材は回動部２０の内部に収容されている。これらの部材の回転軸Ａ（図６参照）は、回動部２０の回転中心と等しくなるように形成されており、これにより、回動部２０を回転させたとしても、ピニオンギア３２、ラチェットギア３３、第１傘歯車３４の回転軸がずれないように形成されている。
【００３０】
また、第２傘歯車３５、クラッチ３６、コマ装着部１３も、回転軸が同じ方向となるように配置されており、これらの部材は基部１２の内部に収容されている。これらの部材の回転軸Ｂ（図６参照）は、回動部２０内の回転軸と直交するように形成されており、回動部２０内の回転軸Ａと基部１２内の回転軸Ｂとが互いに直交する状態を保ちつつ回動部２０が回転するようになっている。
【００３１】
以下、この回転機構３０を構成する各部材について説明する。
【００３２】
ロック部材３１は、ラチェットギア３３の回転を規制するためのものであり、軸孔３１ａを介して回動部２０に回転可能に固定される。このロック部材３１は、図６に示すように、ピニオンギア３２及びラチェットギア３３の方向へと延設されたラチェット爪３１ｂ及びベルト当接部３１ｃを備えている。ラチェット爪３１ｂは、バネなどの付勢手段（図示せず）によってラチェットギア３３の方向へと付勢されており、ベルト体４０が差し込まれていない状態において、ラチェットギア３３と噛合するように形成されている。
【００３３】
ピニオンギア３２は、発射装置本体１１の挿通孔２１に差し込まれたベルト体４０が引き抜き動作されたときに、ベルト体４０のラックギア４１と噛合して回転するものである。  ラチェットギア３３は、ピニオンギア３２と同一軸上に配置されるものであり、ロック部材３１のラチェット爪３１ｂと噛合することにより、回転機構３０全体の回転を停止させるためのものである。このラチェットギア３３は、図６に示すように、角柱状の軸部３３ａを備えており、この軸部３３ａがピニオンギア３２の軸部３２ａに設けられた角穴（図示せず）に挿入されることにより、ピニオンギア３２と一体的に回転するようになっている。
【００３４】
第１傘歯車３４は、ピニオンギア３２及びラチェットギア３３と同一軸上に配置されるものであり、後述する第２傘歯車３５と噛み合うことでピニオンギア３２の回転力を直交方向へと伝達するためのものである。この第１傘歯車３４は、図６に示すように、軸部３４ａの軸方向に角孔３４ｂが形成されており、この角孔３４ｂにラチェットギア３３の角柱状の軸部３３ａが挿入されることにより、ピニオンギア３２及びラチェットギア３３と一体的に回転するようになっている。
【００３５】
第２傘歯車３５は、前述した第１傘歯車３４と噛合するものであり、ピニオンギア３２、ラチェットギア３３及び第１傘歯車３４の回転軸と直交する方向に回転軸を有するものである。
【００３６】
クラッチ３６は、コマ装着部１３の内側に嵌め込まれて使用される部材であり、図６に示すように、外周に係合突起３６ａが形成されている。このクラッチ３６は、係合突起３６ａがコマ装着部１３の内周に形成された縦溝１４に嵌合することにより、コマ装着部１３と一体的に回転するものである。このクラッチ３６の中心には角孔３６ｂが設けられており、この角孔３６ｂに第２傘歯車３５の角軸部３５ａが差し込まれることにより、第２傘歯車３５と同一軸上で回転可能となっている。
【００３７】
本実施形態に係る回転機構３０は上記のように構成され、図８に示すように、挿通孔２１に差し込まれたベルト体４０が引き抜き動作されたときに、ピニオンギア３２が回転すると、その回転力がラチェットギア３３及び第１傘歯車３４に伝達され、その後、第２傘歯車３５によって回転方向が直交する方向へと変換されてクラッチ３６に伝達され、コマ装着部１３が回転するようになっている。
【００３８】
このため、コマ装着部１３にコマ玩具５０を装着した後に、発射装置本体１１にベルト体４０を差し込み、勢い良くベルト体４０を引き抜くと、発射装置本体１１の内部の回転機構３０が作動してコマ装着部１３が回転し、回転力を与えられたコマ玩具５０が発射されるようになっている。
【００３９】
なお、前記したロック部材３１は、ベルト体４０を挿入したときには、ベルト体４０の裏面（ラックギア４１が設けられていない側）がベルト当接部３１ｃに当接することで押し倒され、ラチェット爪３１ｂがラチェットギア３３と噛合しない退避位置まで移動させられる。このため、ベルト体４０が挿入されている状態では、ラックギア４１の回転規制が解除され、回転機構３０が作動可能となっている。しかしながら、ベルト体４０が引き抜かれてしまうと、ベルト体４０とベルト当接部３１ｃとが当接しなくなるため、ロック部材３１がラチェットギア３３と噛合する方向に付勢され、ラチェットギア３３の回転が規制される。このため、挿通孔２１に差し込まれたベルト体４０が勢いよく引き抜かれると、引き抜く前まで勢いよく回転していたコマ装着部１３が瞬時に停止することとなる。このとき、コマ装着部１３の回転が止まってもコマ玩具５０は慣性で回転するため、係止爪１５とコマ５０との係合が外れ、コマ玩具５０は勢いよく回転しながら下方に落下することとなる。
【００４０】
なお、ロック部材３１は、上記したようにラチェットギア３３と噛合してコマ装着部１３の回転を停止させる他にも、ベルト体４０の差し込み方向を決める役割も果たしている。すなわち、図８に示すように、ベルト体４０がロック部材３１を押し倒す方向に差し込まれたときには、ベルト体４０はロック部材３１を押し倒してそのまま挿入できるが、逆側から挿入した場合には、ベルト体４０の先端がロック部材３１（ベルト当接部３１ｃ）に当接するため、それ以上挿入することができない。これによって、ベルト体４０の差し込み方向が定まるため、回転機構３０の回転方向をいつも同じ方向とすることができる。
【００４１】
すなわち、図８（ａ）は右利き用に回動部２０を回転させた状態であるが、この場合、左側に基部１２、右側に回動部２０が配置され、遊戯者は左手で基部１２を持って、ベルト体４０を右手で引き抜くことにより、コマ玩具５０を回転させる。この場合、コマ玩具５０は上から見て時計方向に回転する。
【００４２】
同様に、図８（ｂ）は左利き用に回動部２０を回転させた状態であるが、この場合、右側に基部１２、左側に回動部２０が配置され、遊戯者は右手で基部１２を持って、ベルト体４０を左手で引き抜くことにより、コマ玩具５０を回転させる。この場合においても、コマ玩具５０は上から見て時計方向に回転する。
【００４３】
また、図５（ｂ）に示すように、上方向にベルト体４０を引き抜くようにした場合でも、内部機構は特に図示しないが、コマ玩具５０は上から見て時計方向に回転する。
【００４４】
このように、本実施形態に係るコマ玩具発射装置１０においては、回動部２０をどのように回動させたとしても、コマ玩具５０（コマ装着部１３）の回転に影響が出ないように形成されている。
【００４５】
以上説明したように、本実施形態に係るコマ玩具発射装置１０によれば、回動部２０を回動させることで挿通孔２１が貫通する方向を変更可能であるため、ベルト体５０の挿抜方向を自由に設定でき、ユーザーが使いやすい方向にベルト体５０を挿抜することができる。
【００４６】
例えば、図５（ｂ）に示すように、ベルト体５０がコマ装着部１３の回転軸と同じ方向に挿抜できるように回動部２０を回動させれば、勢い良くベルト体５０を引き抜いたことによって発射装置本体１１が動いてしまう場合でも、発射装置本体１１の移動方向はコマ玩具５０の回転軸方向（すなわち上下方向）となるため、地面に対してのコマ玩具５０の発射位置に影響が出ないので、コマ玩具５０の発射位置を定めやすくすることができる。
【００４７】
また、ベルト体５０がコマ装着部１３の回転軸と直交する方向に挿抜できるように回動部２０を回動させる場合でも、基部１２が回動部２０の左右いずれの側にくるようにも回動できるため、左右いずれの利き腕にも対応することができる。
【００４８】
なお、本実施形態においては、回動部２０の回動範囲を１８０度としている。これは、左右いずれの利き腕にも対応でききる必要最低限の範囲でのみ回動部２０を回動させるようにすることで、回動制限のぎりぎりまで回動部２０を回動させれば、ベルト体４０の挿抜方向をコマ装着部１３の回転軸と直交する方向とすることができるようにするためである。これにより、挿通孔２１の位置を右利き用あるいは左利き用に合わせやすくなっている。しかしながら、回動部２０の回動の自由度を高めるという観点から言えば、これに限らず、回動部２０の回動を１８０度以上、例えば３６０度回動可能としてもよい。
【符号の説明】
【００４９】
１０  コマ玩具発射装置
１１  発射装置本体
１２  基部
１２ａ  下面
１３  コマ装着部
１４  縦溝
１５  係止爪
２０  回動部
２１  挿通孔
２１ａ  切欠き
３０  回転機構
３１  ロック部材
３１ａ  軸孔
３１ｂ  ラチェット爪
３１ｃ  ベルト当接部
３２  ピニオンギア
３２ａ  軸部
３３  ラチェットギア
３３ａ  軸部
３４  第１傘歯車
３４ａ  軸部
３４ｂ  角孔
３５  第２傘歯車
３５ａ  角軸部
３５ｂ  丸軸部
３６  クラッチ
３６ａ  係合突起
３６ｂ  角孔
４０  ベルト体
４０ａ  先端
４１  ラックギア
４２  取っ手
４３  張り出し部
５０  コマ玩具
５１  係合孔
Ａ  回動部内の回転軸
Ｂ  基部内の回転軸
【図１】
0003164823.tif 000003
【図２】
0003164823.tif 000004
【図３】
0003164823.tif 000005
【図４】
0003164823.tif 000006
【図５】
0003164823.tif 000007
【図６】
0003164823.tif 000008
【図７】
0003164823.tif 000009
【図８】
0003164823.tif 000010